(57)【要約】【課題】体液の引き込みが速く、拡散性に優れた吸収性物品を提供する。【解決手段】液透過性のトップシート１と、液不透過性のバックシート２と、該両シート１，２間に配置される吸収体３とを備えた吸収性物品において、前記吸収体３を、前記トップシート１側に位置する撥水層３ａと前記バックシート２側に位置する液保持層３ｂとの二層構造とするとともに、前記撥水層３ａに、層の広がり方向に多数の穴８，８・・を形成する一方、前記液保持層３ｂに、層の広がり方向および層の重なり方向にそれぞれ連続する多数の広がり方向空隙部９および重なり方向空隙部１０を形成して、撥水層３ａにおける体液の引き込み性を改善するとともに、液保持層３ａにおける液拡散性を確保し得るようにしている。【選択図】　　　　図２
2004089623.tif 000002
【特許請求の範囲】
【請求項１】
液透過性のトップシートと、液不透過性のバックシートと、該両シート間に配置される吸収体とを備えた吸収性物品であって、前記吸収体を、前記トップシート側に位置する撥水層と前記バックシート側に位置する液保持層との二層構造とするとともに、前記撥水層には、層の広がり方向に多数の穴を形成する一方、前記液保持層には、層の広がり方向および層の重なり方向にそれぞれ連続する多数の広がり方向空隙部および重なり方向空隙部を形成したことを特徴とする吸収性物品。
【請求項２】
前記穴を、ロート形状としたことを特徴とする前記請求項１記載の吸収性物品。
【請求項３】
前記穴と前記広がり空隙部および重なり方向空隙部とを重合させたことを特徴とする前記請求項１および請求項２のいずれか一項記載の吸収性物品。
【発明の詳細な説明】
【０００１】
【発明の属する技術分野】
本願発明は、使い捨ておむつ、生理用品等の吸収性物品に関するものである。
【０００２】
【従来の技術】
従来からよく知られている吸収性物品（例えば、使い捨ておむつ等）は、液透過性のトップシートと、液不透過性のバックシートと、該両シート間に配置される吸収体とを備えて構成されており、前記吸収体は、親水性の高い繊維からなる上層と液保持性の下層との二層構造とされている。
【０００３】
【発明が解決しようとする課題】
ところが、上記構造の吸収性物品の場合、親水性上層の存在によって体液の引き込みは速くなるが、該上層に親水性の高い繊維が使用されているため、上層が保水してしまい、液保持性の下層に体液が浸透しにくくなる。その結果、トップシートが体液を保水してしまうこととなり、逆戻り現象が生ずるおそれがある。
【０００４】
また、通常の下層の拡散は、毛管現象だけに頼っているため、吸収体の吸収面積を有効に利用できないポイント吸収となり、逆戻り現象の原因となっていた。
【０００５】
本願発明は、上記の点に鑑みてなされたもので、体液の引き込みが速く、拡散性に優れた吸収性物品を提供することを目的とするものである。
【０００６】
【課題を解決するための手段】
請求項１の発明では、上記課題を解決するための手段として、液透過性のトップシートと、液不透過性のバックシートと、該両シート間に配置される吸収体とを備えた吸収性物品において、前記吸収体を、前記トップシート側に位置する撥水性の撥水層と前記バックシート側に位置する液保持性の液保持層との二層構造とするとともに、前記撥水層に、層の広がり方向に多数の穴を形成する一方、前記液保持層に、層の広がり方向および層の重なり方向にそれぞれ連続する多数の空隙部を形成している。
【０００７】
上記のように構成したことにより、吸収体を構成する撥水層に形成された多数の穴を介して体液が引き込まれることとなり、撥水層であるにも拘わらず、吸収速度が速くなる。従って、体液がトップシートに残らない「瞬間吸収」および「お肌さらさら」を達成することができる。また、多数の穴の形成により、肌への接触面積が少なくなるところから、装着時の違和感を軽減できる。さらに、液保持層においては、層の広がり方向および層の重なり方向にそれぞれ連続して形成された多数の空隙部を介して体液が速やかに拡散することとなり、吸収体の吸収面積を有効に活用でき、横漏れを防止することができる。
【０００８】
請求項２の発明におけるように、請求項１記載の吸収性物品において、前記穴を、ロート形状とした場合、穴の開口径を大きくできるとともに、表面開口率を大きくできることとなり、体液の吸収速度をより速くできる。また、穴をロート形状としたことにより、体液と穴の最下点との接触部の開口が小さくなるところから、逆戻りを効果的に抑制することができる。さらに、ロート形状の穴の開口径を吸収体の長手方向、横方向で様々に変化させることで、男女の排尿口の違いに合わせて吸収速度の速い領域を得ることができる。
【０００９】
請求項３の発明におけるように、請求項１および請求項２のいずれか一項記載の吸収性物品において、前記穴と前記広がり空隙部および重なり方向空隙部とを重合させた場合、穴を介して吸収された体液が空隙部を介して液保持層全体に速やかに拡散することとなり、ポイント吸収が回避でき、横漏れ現象および逆戻り現象を効果的に防止できる。
【００１０】
【発明の実施の形態】
以下、添付の図面を参照して、本願発明の好適な実施の形態について詳述する。本実施の形態においては、吸収性物品として使い捨ておむつを例として説明している。
【００１１】
この使い捨ておむつは、図１に示すように、液透過性のトップシート１と液不透過性のバックシート２とこれら両シート１，２間に配置される吸収体３とを備えて構成されており、着用時に着用者の腹側と背側をそれぞれ覆う前身頃部４と後身頃部５とに区分されている。そして、後身頃部５には、左右一対のテープファスナー６，６が設けられており、これらのテープファスナー６，６を前身頃部４のバックシート側に固定することにより使い捨ておむつを装着できるようになっている。符号７は側縁に沿って配設された伸縮部材であり、着用時に脚回りにフィットするレッグギャザーを形成する。
【００１２】
上記構成の使い捨ておむつに使用されている吸収体３は、図２に示すように、前記トップシート１側の撥水層３ａと前記バックシート２側の液保持層３ｂとの二層構造となっており、前記撥水層３ａは撥水性の高い繊維からなり、前記液保持層３ｂは液保持性の高い繊維からなっている。
【００１３】
前記撥水層３ａには、図２および図３に示すように、層の広がり方向において千鳥配列とされた多数のロート形状の穴８，８・・が形成されている。なお、この穴８の形状は、ロート形状に限定されず、円筒形状あるいは四角筒、三角筒等の多角筒形状とすることもできるが、開口径を大きくできる点でロート形状とするのが望ましい。該穴８，８・・の開口率を、穴８の開口面積／撥水層３ａの表面積×１００としたとき、該開口率は、２０％〜８０％の範囲とするのが望ましい。但し、排尿を素早く引き込み且つ逆戻りを効果的に抑えられる３０％〜６０％とするのがより好ましい。
【００１４】
一方、前記液保持性３ｂには、層の広がり方向および重なり方向に連続する多角形（例えば、四角形）形状の空隙部９，１０が形成されている。該空隙部９，１０の断面積は、１ｍｍ２程度とするのが望ましい。これらの多角形形状の空隙部９，１０の断面積は、排尿の付近にかかる部分を２ｍｍ２程度に特に大きくすると効果的に排尿を引き込み且つ拡散させることができる。なお、男の子の場合、吸収体３の長手方向の中間線より前身頃寄り領域、女の子の場合、吸収体３の長手方向の中間線付近の領域の空隙部の長さを２ｍｍ、幅を１ｍｍとして吸収体３の長手方向に沿って縦長とすれば、排尿を長手方向に拡散し易くし且つ素早く引き込ませることができる。
【００１５】
上記空隙部９，１０は、層の広がり方向および重なり方向に網の目状に連続して延設されている。これらの空隙部９，１０は、前記穴８，８・・と重合するように形成されている。つまり、空隙部９，１０は、穴８，８・・と連続することとなっているのである。
【００１６】
また、前記広がり方向空隙部９は、吸収体３の縦方向（換言すれば、長手方向）に対して所定角度（例えば、４５°）で傾斜するとともに互いに所定角度（例えば、９０°）でクロスするように形成されている。このようにすると、広がり方向空隙部９を介して拡散する体液が吸収体３の縦方向（換言すれば、長手方向）側縁へ到達する距離を長くすることができる。従って、吸収体３の幅方向（換言すれば、横方向）への液拡散を制御することができることとなり、横漏れの防止に寄与する。なお、この広がり方向空隙部９を、吸収体３の長手方向に対して縦横方向に延設する場合もあり、その場合、縦方向に延設される空隙部の数を横方向に延設される空隙部の数より多くするのが望ましい。
【００１７】
上記液保持層３ｂに用いられる材料としては、親水性繊維と高吸収性ポリマーとを併用したものが好ましく、親水性繊維は、例えば、解繊パルプ、セルロース系繊維、あるいは、熱可塑性繊維を親水化したものが好ましい。また、高吸収性ポリマーとしては、デンプンーアクリル酸（塩）グラフト共重合体の鹸化物、ナトリウムカルボキシメチルセルロースの架橋物、アクリル酸（塩）重合体等が好ましい。
【００１８】
上記のように構成したことにより、液透過性のトップシート１から吸収された体液は、撥水層３ａの穴８，８・・を介して液保持層３ｂに速やかに引き込まれる。このようにして引き込まれた体液は、液保持層３ｂにおいて広がり方向および重なり方向の空隙部９，１０にて高速度が放射方向および鉛直方向に拡散・移動して保持される。
【００１９】
従って、体液がトップシート１に残らない「瞬間吸収」および「お肌さらさら」を達成することができるし、また、多数の穴８，８・・の形成により、肌への接触面積が少なくなるところから、装着時の違和感を軽減できる。さらに、液保持層３ｂにおいては、層の広がり方向および層の重なり方向にそれぞれ連続して形成された多数の空隙部９，１０を介して体液が速やかに拡散することとなり、吸収体３の吸収面積を有効に活用でき、横漏れを防止することができる。
【００２０】
しかも、本実施の形態においては、前記穴８，８・・を、ロート形状としているので、穴８，８・・の開口径を大きくできるとともに、表面開口率を大きくできることとなり、体液の吸収速度をより速くできる。
【００２１】
さらに、本実施の形態においては、前記穴８，８・・と前記広がり空隙部９および重なり方向空隙部１０とを重合させているため、穴８，８・・を介して吸収された体液が空隙部９，１０を介して液保持層３ｂ全体に速やかに拡散することとなり、ポイント吸収が回避でき、横漏れ現象および逆戻り現象を効果的に防止できる。
【００２２】
上記実施の形態においては、吸収性物品の具体例である使い捨ておむつについて説明したが、本願発明は、生理用ナプキンや失禁者用パッドにも適用可能なことは勿論である。
【００２３】
【発明の効果】
請求項１の発明によれば、吸収体を構成する撥水層に穴を形成して、該穴を介して体液が速やかに引き込まれるようにしたので、撥水層であるにも拘わらず、吸収速度が速くなり、体液がトップシートに残らない「瞬間吸収」および「お肌さらさら」を達成することができるという効果がある。また、撥水層への多数の穴の形成により、肌への接触面積が少なくなるところから、装着時の違和感を軽減できるという効果もある。さらに、液保持層においては、層の広がり方向および層の重なり方向にそれぞれ連続して形成された多数の空隙部を介して体液が速やかに拡散することとなり、吸収体の吸収面積を有効に活用でき、横漏れを防止することができるという効果もある。
【００２４】
請求項２の発明におけるように、請求項１記載の吸収性物品において、前記穴を、ロート形状とした場合、穴の開口径を大きくできるとともに、表面開口率を大きくできることとなり、体液の吸収速度をより速くできる。また、穴をロート形状としたことにより、体液と穴の最下点との接触部の開口が小さくなるところから、逆戻りを効果的に抑制することができる。さらに、ロート形状の穴の開口径を吸収体の長手方向、横方向で様々に変化させることで、男女の排尿口の違いに合わせて吸収速度の速い領域を得ることができる。
【００２５】
請求項３の発明におけるように、請求項１および請求項２のいずれか一項記載の吸収性物品において、前記穴と前記広がり空隙部および重なり方向空隙部とを重合させた場合、穴を介して吸収された体液が空隙部を介して液保持層全体に速やかに拡散することとなり、ポイント吸収が回避でき、横漏れ現象および逆戻り現象を効果的に防止できる。
【図面の簡単な説明】
【図１】本願発明の実施の形態にかかる吸収性物品の具体例である使い捨ておむつの平面図である。
【図２】本願発明の実施の形態にかかる吸収性物品の具体例である使い捨ておむつにおける要部拡大縦断面図である。
【図３】本願発明の実施の形態にかかる吸収性物品の具体例である使い捨ておむつの要部拡大平面図である。
【符号の説明】
１はトップシート、２はバックシート、３は吸収体、３ａは撥水層、３ｂは液保持層、８は穴、９，１０は空隙部。
【図１】
2004089623.tif 000003
【図２】
2004089623.tif 000004
【図３】
2004089623.tif 000005